(57)【要約】      （修正有）【課題】テンプルの交換可能なメガネのテンプル結合構造を提供する。【解決手段】メガネフレーム２０及びテンプル３０を備え、テンプル３０は第一テンプルパーツ３１、第二テンプルパーツ３２、テンプルモダン３３から構成し、第二テンプルパーツ３２に設けた定位孔３２１に第一テンプルパーツ３１を通してそれらの末端からテンプルモダン３３を緊密に挿入固定して一体のテンプルとする。メガネフレームの両側には可動接続孔２２を具えた接続ブロック２１を設け、第一テンプルパーツ３１の基端には可動接続孔２２に嵌合する凸部３１３をそれぞれ設けた可動接続セクション３１１及び下可動接続セクション３１２を設けて該該可動接続孔２２に凸部３１３を嵌合して、メガネフレームとテンプルとを連結する。【選択図】図１
0003191389.tif 000002
【実用新案登録請求の範囲】
【請求項１】
メガネフレーム、及びテンプルからなり、
該メガネフレーム両側には、可動接続孔を上下に設けた接続ブロックを備え、
該テンプルは、第一テンプルパーツ、第二テンプルパーツ及びテンプルモダンにより構成し、
該第一テンプルパーツ一端には、上記可動接続孔に対応して嵌合する凸部を設置すると共に中間位置に湾曲した定位部を設け
該第二テンプルパーツには、第一テンプルパーツを挿通する定位孔を形成して上記第一テンプルパーツを挿通してその湾曲した定位部により定位し、
上記テンプルモダンは、該第一テンプルパーツ及び該第二テンプルパーツ末端に緊密に嵌めて結合することにより該第一テンプルパーツ及び該第二テンプルパーツを一体に結合し、
上記第一テンプルパーツ一端の凸部を上記メガネフレームの接続ブロックの可動接続孔に嵌合することにより、テンプルをメガネフレームに可動状に設置する、
ことを特徴とする多様なテンプル結合構造。
【請求項２】
前記第一テンプルパーツは、上部パーツと下部パーツにより構成し、
前記凸部は、該上部及び該下部パーツの前端に、前記メガネフレーム両側に設けた接続ブロックの可動接続孔に相対する位置に形成したことを特徴とする請求項１に記載の多様なテンプル結合構造。
【考案の詳細な説明】
【技術分野】
【０００１】
本考案は多様なテンプル結合構造に関し、特にメガネフレームとテンプルの連結構造で、簡易な組み立てを通して、テンプルのデザインに色及び模様/装飾の変化をもたらし、生産の難度を引き下げられる他、メガネデザインの多様性を高めることもできる多様なテンプル結合構造に関する。
【背景技術】
【０００２】
図６に示すように、従来のテンプル結合構造は、テンプル１１をメガネフレーム１０の両側にそれぞれ組み合わせて構成する。
該メガネフレーム１２両側には、相対する可動接続部１０２をそれぞれ設置する。
該可動接続部１０２は、可動接続孔を備える。
該テンプル１１には、可動接続耳１１１を形成する。
ネジ１２等の結合パーツにより、可動接続耳１１１と可動接続孔１２２とを同時に貫通し、これによりテンプル１１とメガネフレーム１０とを組み立てる。
該テンプル１１の可動端は、簡単に外方に展開し或いは内側へと折り畳むことができる。
【０００３】
上記した従来のメガネ結合構造は、使用の際に必要とされる折畳み機能を提供することができる。
しかし、該可動接続耳１１１或いは該可動接続部１０２は、溶着の方式で、テンプル１１及びメガネフレーム１０にそれぞれ固定するため、生産の難度とコストが、一体成型或いはプレス加工に比べて、高くなってしまう。
また、該ネジ１２は、使用過程において、徐々にその緊密固定力が低下するため、理想的とは言えない。
本考案は、従来のテンプル結合構造の上記した欠点に鑑みてなされたものである。
【先行技術文献】
【特許文献】
【０００４】
【特許文献１】特開２００７−５３７４６８号公報
【特許文献２】特開２００９−１２２１３６号公報
【考案の概要】
【考案が解決しようとする課題】
【０００５】
本考案が解決しようとする課題は、少なくとも２個の構成部材により組成するテンプルで、メガネフレームとの結合にネジを必要とせず、同時に構成部材の色及び質感を簡単に変えることができるため、多様なテンプルの構造を簡単に形成できる多様なテンプル結合構造を提供することである。
【課題を解決するための手段】
【０００６】
上記課題を解決するため、本考案は下記の多様なテンプル結合構造を提供する。
多様なテンプル結合構造は、メガネフレームを備え、
該メガネフレーム両側には、接続ブロックを備え、可動接続孔を設置し、
さらに、テンプルを備え、該テンプルは、第一テンプルパーツ、第二テンプルパーツ及びテンプルモダンにより構成し、
該第一テンプルパーツ一端には、該可動接続孔に対応する凸部を設置し、本体の適当な位置には、定位部を湾曲状に設置し、
該第二テンプルパーツには、定位孔を形成し、該第一テンプルパーツは、該定位孔に通して設置し、これにより該定位部は、該定位孔に定位され、
該テンプルモダンは、該第一テンプルパーツ及び該第二テンプルパーツ末端に緊密に嵌めて結合し、
こうして、溶接を使用せずに結合可能なテンプルを構成し、該第一テンプルパーツに設置する凸部を該可動接続孔内に可動状に設置し、テンプルの組み立てを簡単に完成させ、
多様なテンプル結合構造において、該第一テンプルパーツには、上可動接続セクションと下可動接続セクションとを設置し、該凸部は、該上可動接続セクションと該下可動接続セクションとの相対位置に設置し、
多様なテンプル結合構造において、該第一テンプルパーツは、上部パーツと下部パーツにより構成し、該凸部は、該上部及び該下部パーツの前端の相対する位置に形成し、
多様なテンプル結合構造において、該定位部の湾曲の程度は、該第二テンプルパーツの厚みに従い、
多様なテンプル結合構造において、該定位孔は、該第一テンプルパーツの断面形状に応じて形成し、
多様なテンプル結合構造において、該第一テンプルパーツ及び該第二テンプルパーツの色或いは材質は、相互に違ったものとすることができる。
【考案の効果】
【０００７】
本考案の多様なテンプル結合構造は、数個の構成部材により、溶着を経ずに、相互に組み立てて完成するため、さまざまな色或いは材質の構成部材を採用することで、生産コストと製造の難度を大幅に引き下げることができ、より多様なデザインと外観のメガネ製品を形成することができる。
【図面の簡単な説明】
【０００８】
【図１】本考案第一実施形態の分解模式図である。
【図２】本考案第一実施形態のテンプル組合せを示す模式図である。
【図３】本考案第一実施形態のメガネフレームとテンプルの組合せ模式図である。
【図４】本考案第二実施形態の分解模式図である。
【図５】本考案第二実施形態のメガネフレームとテンプルの角度関係を示す模図である。
【図６】従来のテンプル結合構造の立体分解図である。
【考案を実施するための形態】
【０００９】
以下に図面を参照しながら本考案を実施するための最良の形態について詳細に説明する。
【００１０】
図１、２に示す本考案の第一実施形態は、メガネフレーム２０及びテンプル３０を備える。
【００１１】
該メガネフレーム２０は、両側に、接続ブロック２１を形成し、該接続ブロック２１にはさらに、可動接続孔２２を形成する。
【００１２】
該テンプル３０は、第一テンプルパーツ３１、第二テンプルパーツ３２及びテンプルモダン３３により構成する。
【００１３】
該第一テンプルパーツ３１一端には、上可動接続セクション３１１及び下可動接続セクション３１２を設置する。
【００１４】
該上可動接続セクション３１１と該下可動接続セクション３１２は、可動接続孔２２にそれぞれ対応して、相互に嵌合可能な凸部３１３を形成し、本体の適当な位置には、定位部３１４を湾曲状に設置する。
【００１５】
該定位部３１４の湾曲程度は、それと対応する第二テンプルパーツ３２の厚みに応じて、構造を調整する。
【００１６】
該第二テンプルパーツ３２には、定位孔３２１を形成し、本実施形態では、第一テンプルパーツ３１の断面形状に基づき、定位孔３２１を、溝孔状に形成する。
【００１７】
該第一テンプルパーツ３１を第二テンプルパーツ３２の定位孔３２１に通して設置し、定位部３１４を、その位置に係合して定位する。
【００１８】
前記テンプルモダン３３は、該第一テンプルパーツ３１及び該第二テンプルパーツ３２の末端から、緊密に嵌めて結合し、こうして溶着を用いなくとも結合作用を備えるテンプルを形成する。
【００１９】
図３に示すように、本考案の多様なテンプル結合構造によって、第一テンプルパーツ３１に設置する凸部３１３を、該メガネフレーム接続ブロック２１の可動接続孔２２内に可動状に設置し、こうしてテンプル３０を簡易に組み立てる効果を達成する。
【００２０】
同時に、第二テンプルパーツ３２前端と接続ブロック２１との間には、適当な弾性接触作用を備え、これによりテンプル３０は、外に広げ或いは折畳む時に、拘束力を発揮し、テンプルの定位を助ける作用を備え、安定させることができる。
【００２１】
本考案では、第一テンプルパーツ３１及び第二テンプルパーツ３２の色或いは材質を変えることで、多様なテンプル構造を簡単に形成することができる。
【００２２】
本考案テンプル構造の第二実施形態の立体図である図４、５に示すように、メガネは、メガネフレーム４０及びテンプル３０を備える。
【００２３】
該メガネフレーム４０は側辺に、接続ブロック４１を設置し、接続ブロック４１には、可動接続孔４２を設置する。
【００２４】
該テンプル３０は、第一テンプルパーツ５１、第二テンプルパーツ５２及びテンプルモダン５３により構成する。
【００２５】
上記した第一実施形態との相異点は、該テンプル３０の第一テンプルパーツ５１は、上部パーツ５１１と下部パーツ５１２により構成する点である。
【００２６】
該上部及び下部パーツ５１１、５１２前端には、相対する凸部５１３、及び湾曲角度が同一の定位部５１４をそれぞれ設置する。
【００２７】
本実施形態では、第一テンプルパーツ５１の断面形状に基づき、該第二テンプルパーツ５２に設置する定位孔５２１は、２個の円孔に形成し、これにより上部パーツ５１１及び下部パーツ５１２を、該定位孔５２１位置にそれぞれ通して設置する。
【００２８】
該第一テンプルパーツ５１及び該第二テンプルパーツ５２末端に、テンプルモダン５３を同時に緊密に嵌めて結合し、同様に、簡易な組み立てで完全なテンプルを形成する目的を達成することができる。
【００２９】
上記した実施形態により説明したように、本考案のテンプル構造は、従来の構造に比較し、以下の長所を備える。
1.    本考案のテンプルは、数個の構成部材を、相互に組み立てて形成し、溶接工程を経る必要なく結合を完成させられ、生産コストと製造の難度を大幅に引き下げることができる。
2.    テンプルは数個の構成部材により組成するため、さまざまな色或いは材質の構成部材を採用することで、より多様なデザインと外観のテンプルを形成することができ、メガネ製品の多様性を高めることができる。
【００３０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３１】
本考案は実用新案登録の要件である新規性を備え、従来の同類製品に比べ十分な進歩を有し、実用性が高く、社会のニーズに合致しており、産業上の利用価値は非常に大きい。
【符号の説明】
【００３２】
１１  テンプル
１１１  可動接続耳
１０  メガネフレーム
１０２  可動接続部
１２  ネジ
２０  メガネフレーム
２１  接続ブロック
２２  可動接続孔
３０  テンプル
３１  第一テンプルパーツ
３１１  上可動接続セクション
３１２  下可動接続セクション
３１３  凸部
３１４  定位部
３２  第二テンプルパーツ
３２１  定位孔
３３  テンプルモダン
４０  メガネフレーム
４１  接続ブロック
４２  可動接続孔
５１  第一テンプルパーツ
５１１  上部パーツ
５１２  下部パーツ
５１３  凸部
５１４  定位部
５２  第二テンプルパーツ
５２１  定位孔
５３  テンプルモダン
【図１】
0003191389.tif 000003
【図２】
0003191389.tif 000004
【図３】
0003191389.tif 000005
【図４】
0003191389.tif 000006
【図５】
0003191389.tif 000007
【図６】
0003191389.tif 000008